(57)【要約】【課題】サイドパネル取付用のブラケットの部品点数を削減してコスト低減が図れ、かつサイドパネルを体裁よく取付けうるようにしたサイドパネルの取付構造を提供する。【解決手段】サイドパネルを取付けるブラケットＢを、脚柱５の外側面に当接する上下方向を向く基片１２、及びこの基片１２の前端より内向きに延出し、脚柱５の前端部に当接可能な係合片１３を備える第１ブラケット１０と、上下方向を向くパネル取付片１７、及びこのパネル取付片１７の後端より内向きに延出し、脚柱５の後面に当接可能な後片２２を備える第２ブラケット１１とからなり、第１、第２ブラケット１０、１１同士を、締付手段３２をもって互いに前後方向に接近するように連結し、両ブラケット１０、１１における係合片１３と後片２２とを脚柱５の前面と後面に圧接させることにより、第１、第２ブラケット１０、１１を脚柱５に取付け、パネル取付片１７に、サイドパネル９を、係合手段３１、３６をもって取付ける。【選択図】  図７
2010255655.tif 000002
【特許請求の範囲】
【請求項１】
天板を支持する左右の脚柱における少なくともいずれか一方の側面に、ブラケットをもってサイドパネルを取付けるようにした机等におけるサイドパネルの取付構造において、
前記ブラケットは、前記脚柱の外側面に当接する上下方向を向く基片、及びこの基片の前端より内向きに延出し、前記脚柱の少なくとも前面に当接可能な係合片を備える第１ブラケットと、前記第１ブラケットの外側面側に位置する上下方向を向くパネル取付片、及びこのパネル取付片の後端より内向きに延出し、前記脚柱の後面に当接可能な後片を備える第２ブラケットとからなり、前記第１、第２ブラケット同士を、締付手段をもって互いに前後方向に接近するように連結し、両ブラケットにおける前記係合片と後片とを前記脚柱の前面と後面に圧接させることにより、第１、第２ブラケットを脚柱に取付け、前記パネル取付片に、前記サイドパネルを、それらの対向面に設けた係合手段をもって取付けたことを特徴とする机等におけるサイドパネルの取付構造。
【請求項２】
第２ブラケットの後片に、左右の脚柱同士を連結する横杆に上方より嵌合される嵌合片を設けてなる請求項１記載の机等におけるサイドパネルの取付構造。
【請求項３】
第１ブラケットの基片と、第２ブラケットのパネル取付片とに、それぞれ外向固定片と内向固定片とを、前記基片とパネル取付片間において互いに対向するように、かつ対向面間に締め代分の隙間が形成されるようにして突設し、これら外向固定片と内向固定片とを締付手段により固定することにより、第１ブラケットと第２ブラケット同士を連結してなる請求項１または２記載の机等におけるサイドパネルの取付構造。
【請求項４】
パネル取付片に、締付手段を操作しうる作業用孔を設けてなる請求項３記載の机等におけるサイドパネルの取付構造。
【請求項５】
第２ブラケットの内向固定片の内端に、脚柱の外側面に当接するとともに、第１ブラケットの基片の内側面に当接する折曲片を連設してなる請求項３または４記載の机等におけるサイドパネルの取付構造。
【請求項６】
パネル取付片の前端に、内向片を、その前面が第１ブラケットの係合片の前面とほぼ同一面に整合するようにして連設してなる請求項３〜５のいずれかに記載の机等におけるサイドパネルの取付構造。
【請求項７】
内向片の内端に、第１ブラケットの基片の外側面に当接する後向片を連設してなる請求項６記載の机等におけるサイドパネルの取付構造。
【請求項８】
後向片と第１ブラケットの基片とを、第２ブラケットのパネル取付片に設けた通孔より挿入したねじにより固定してなる請求項７記載の机等におけるサイドパネルの取付構造。
【請求項９】
脚柱を、固定脚柱と、この固定脚柱内に昇降可能に嵌合された可動脚柱よりなるものとし、第１ブラケットの基片の上端と第２ブラケットのパネル取付片の上端との少なくともいずれか一方に、下面が前記固定脚柱の上面に当接する上片を設けてなる請求項１〜８のいずれかに記載の机等におけるサイドパネルの取付構造。
【発明の詳細な説明】
【技術分野】
【０００１】
本発明は、机等の脚柱に、サイドパネルを容易に取り付けうるようにした取付構造に関する。
【背景技術】
【０００２】
本願の出願人は、机の脚柱に何らの加工を施すことなく、サイドパネルを脚柱に容易に取り付けうる取付構造を案出し、先に特許出願している(例えば特許文献１参照)。
【先行技術文献】
【特許文献】
【０００３】
【特許文献１】特開２００７−２６７９９１号公報
【発明の概要】
【発明が解決しようとする課題】
【０００４】
上記特許文献１に記載されているサイドパネルの取付構造においては、サイドパネル取付用のブラケットが、脚柱に止着される前後２個の第１支持ブラケットと、この第１支持ブラケットにねじ止めされる第２支持ブラケットとの３部材よりなっているので、部品点数が多く、コスト高となっており、かつ支柱へのブラケットの取付けも面倒である。
また、第１及び第２ブラケット同士を固定するねじが外部に露呈しているので、体裁が悪いものとなっている。
【０００５】
本発明は、上記問題点に鑑みてなされたもので、サイドパネル取付用のブラケットの部品点数を削減してコスト低減が図れ、かつねじ等の締付手段を外部に露呈させることなく、脚柱に、サイドパネルを体裁よく取付けうるようにした、机等におけるサイドパネルの取付構造を提供することを目的としている。
【課題を解決するための手段】
【０００６】
本発明によると、上記課題は、次の各項のようにして解決される。
（１）天板を支持する左右の脚柱における少なくともいずれか一方の側面に、ブラケットをもってサイドパネルを取付けるようにした机等におけるサイドパネルの取付構造において、前記ブラケットは、前記脚柱の外側面に当接する上下方向を向く基片、及びこの基片の前端より内向きに延出し、前記脚柱の少なくとも前面に当接可能な係合片を備える第１ブラケットと、前記第１ブラケットの外側面側に位置する上下方向を向くパネル取付片、及びこのパネル取付片の後端より内向きに延出し、前記脚柱の後面に当接可能な後片を備える第２ブラケットとからなり、前記第１、第２ブラケット同士を、締付手段をもって互いに前後方向に接近するように連結し、両ブラケットにおける前記係合片と後片とを前記脚柱の前面と後面に圧接させることにより、第１、第２ブラケットを脚柱に取付け、前記パネル取付片に、前記サイドパネルを、それらの対向面に設けた係合手段をもって取付ける。
【０００７】
このような構成とすると、サイドパネル取付用のブラケットは、第１ブラケットと第２ブラケットとの２部材のみであるので、従来の取付構造に比して部品点数が少なく、コスト低減が図れる。
また、第１、第２ブラケット同士を、締付手段をもって互いに前後方向に接近するように連結し、両ブラケットの係合片と後片とを脚柱の前面と後面に圧接させることにより、第１、第２ブラケットを脚柱に取付けているので、脚柱に、ブラケット固定用の何らの加工を施す必要がない。
さらに、サイドパネルは、これと、第２ブラケットのパネル取付片との対向面に設けた係合手段により、パネル取付片に取付けられているので、係合手段が目立たず、サイドパネルを体裁よく取付けることができる。
【０００８】
（２）上記(１)項において、第２ブラケットの後片に、左右の脚柱同士を連結する横杆に上方より嵌合される嵌合片を設ける。
【０００９】
このような構成とすると、第２ブラケットに加わる下向荷重が、横杆により受止されるので、脚柱に取付けた第１、第２ブラケットが下方に位置ずれする恐れがなく、従って、ブラケットに、サイドパネルを、床面から離間させて取付けることができる。
【００１０】
（３）上記(１)または(２)項において、第１ブラケットの基片と、第２ブラケットのパネル取付片とに、それぞれ外向固定片と内向固定片とを、前記基片とパネル取付片間において互いに対向するように、かつ対向面間に締め代分の隙間が形成されるようにして突設し、これら外向固定片と内向固定片とを締付手段により固定することにより、第１ブラケットと第２ブラケット同士を連結する。
【００１１】
このような構成とすると、第１、第２ブラケットの固定部、及び締付手段が外部に露呈しないので、ブラケットの見栄えがよく、かつサイドパネルを体裁よく取付けることができる。
【００１２】
（４）上記(１)〜(３)項のいずれかにおいて、パネル取付片に、締付手段を操作しうる作業用孔を設ける。
【００１３】
このような構成とすると、外向固定片と内向固定片とを締付手段により固定する作業を、作業用孔より工具等を差し込んで、外側方から容易に行うことができる。
【００１４】
（５）上記(３)または(４)項において、第２ブラケットの内向固定片の内端に、脚柱の外側面に当接するとともに、第１ブラケットの基片の内側面に当接する折曲片を連設する。
【００１５】
このような構成とすると、脚柱の外側面への第２ブラケットの接触面積が大となるので、サイドパネルを安定よく保持することができる。
また、折曲片を、第１ブラケットの基片に当接させることにより、第１、第２ブラケット同士を左右方向に位置決めして、外向固定片と内向固定片とを締付手段により容易に固定することができる。
【００１６】
（６）上記(３)〜(５)項のいずれかにおいて、パネル取付片の前端に、内向片を、その前面が第１ブラケットの係合片の前面とほぼ同一面に整合するようにして連設する。
【００１７】
このような構成とすると、第１、第２ブラケットの前面同士がほぼ同一面に整合しているので、ブラケットの体裁が向上する。
【００１８】
（７）上記(６)項において、内向片の内端に、第１ブラケットの基片の外側面に当接する後向片を連設する。
【００１９】
このような構成とすると、脚柱の外側面への第１ブラケットの接触面積が大となるので、サイドパネルを、より安定よく保持することができる。
【００２０】
（８）上記(７)項において、後向片と第１ブラケットの基片とを、第２ブラケットのパネル取付片に設けた通孔より挿入したねじにより固定する。
【００２１】
このような構成とすると、第１ブラケットと第２ブラケットとが強固に固定されるので、サイドパネルも安定よく取付けることができる。
【００２２】
（９）上記(１)〜(８)項のいずれかにおいて、脚柱を、固定脚柱と、この固定脚柱内に昇降可能に嵌合された可動脚柱よりなるものとし、第１ブラケットの基片の上端と第２ブラケットのパネル取付片の上端との少なくともいずれか一方に、下面が前記固定脚柱の上面に当接する上片を設ける。
【００２３】
このような構成とすると、ブラケットに加わる下向荷重が、上片を介して、固定脚柱の上面により受止されるので、ブラケットが下方に位置ずれする恐れはなく、ブラケットに、サイドパネルを、床面から離間させて安定よく取付けることができる。
【発明の効果】
【００２４】
本発明によれば、サイドパネル取付用のブラケットは、第１ブラケットと第２ブラケットとの２部材のみであるので、従来の取付構造に比して部品点数が少なく、コスト低減が図れる。
また、第１、第２ブラケット同士を、締付手段をもって互いに前後方向に接近するように連結し、両ブラケットの係合片と後片とを脚柱の前面と後面に圧接させることにより、第１、第２ブラケットを脚柱に取付けているので、脚柱に、ブラケット固定用の何らの加工を施す必要がない。
【図面の簡単な説明】
【００２５】
【図１】本発明を適用した机の斜視図である。
【図２】同じく、サイドパネル取付部の分解斜視図である。
【図３】第１ブラケットの拡大斜視図である。
【図４】第２ブラケットの拡大斜視図である。
【図５】第１、第２ブラケット同士の固定要領を示す斜視図である。
【図６】第１、第２ブラケットを固定脚柱に取付けた状態の拡大斜視図である。
【図７】図６のVII-VII線拡大横断平面図である。
【発明を実施するための形態】
【００２６】
以下、本発明の一実施形態を、図面に基づいて説明する。
図１は、本発明を適用した机の斜視図、図２は、サイドパネル取付部の分解斜視図で、机１は、左右１対の脚体２、２と、両脚体２の上面に取付けられた天板３とを備えている。
【００２７】
左右の脚体２、２は、下端の前方(以下、図１の右側方手前側を前として説明する)を向くベース脚４と、その後端部の上面より起立する中空状の固定脚柱５と、この固定脚柱５内に上下動可能に嵌合され、図示しない昇降手段の操作により上方への突出寸法を調節可能な可動脚柱６とからなり、左右の固定脚柱５、５の後端部の対向面同士は、平板状の横杆７により連結されている。
上記天板３の両側端部は、可動脚柱６の上端の前後方向を向く支持杆８により支持されている。
【００２８】
右方の固定脚柱５には、サイドパネル９が、ブラケットＢにより取付けられている。
図２に示すように、ブラケットＢは、第１ブラケット１０と第２ブラケット１１とからなり、第１ブラケット１０は、図３にも示すように、上下の端縁に、外側方を向く上部折曲片１２ａと下部折曲片１２ｂを有する前後方向を向く垂直平板状の基片１２と、この基片１２の前端に連設され、固定脚柱５の前面と内側面の前端部に当接可能な平面視ほぼ後向Ｌ字状をなす係合片１３と、基片１２の後端に連設された外側方を向く外向固定片１４とからなっている。なお、基片１２の後端部には、第２ブラケット１１の後記する前向折曲片２９ｂの板厚に相当する分だけ外方に凹入する段差面が形成されている。
【００２９】
基片１２の前端部に穿設された上下２個の通孔(図示略)と対応する位置において、基片１２の後面には、ナット１５、１５が溶接されている。
また、外向固定片１４には、上下２個のボルト挿通孔１６、１６が穿設されている。
【００３０】
図２及び図４に示すように、第２ブラケット１１は、前後寸法が固定脚柱５のそれとほぼ等しい寸法の上下方向を向くパネル取付片１７と、その前縁に連設され、内向片１８ａとそれに連続する後向片１８ｂとからなる前部屈折縁１８と、パネル取付片１７の上縁に内向き折曲され、前端部を除いた後部側の内端部を、平面視Ｌ字状に切欠いてなる上片１９と、パネル取付片１７の下縁に連設され、内向片２０ａとそれに連続する上向片２０ｂとからなる下部屈折縁２０と、パネル取付片１７の後縁に内向きに連設され、左半部の上端部に切欠段部２１を有する、左右寸法が固定脚柱５の左右幅よりも長寸の内向後片２２とを備えている。
【００３１】
上記切欠段部２１の上縁には、前向片２３ａとそれに連続する下向片２３ｂとからなる側面視倒立Ｌ字状の嵌合片２３が折曲形成され、下向片２３ｂの中央部には、通孔２４が穿設されている。
内向後片２２の右半部の上縁には、前向上片２５が、上記上片１９の後端と連続するようにして形成され、前向上片２５の前縁と上片１９の切欠部１９ａとの間に形成された平面視コ字状の空間は、可動脚柱６に外側方から嵌合可能な嵌合凹部２６となっている。
【００３２】
パネル取付片１７の中央部には、方形をなす大きめの作業用孔２７が形成され、この作業用孔２７の前縁には、短寸の内向折曲片２８が、同じく後縁には、内向固定片２９ａとそれに連続する前向折曲片２９ｂとからなる平面視Ｌ字状の折曲片２９が、それぞれ連設されている。内向固定片２９ａには、上下２個のめねじ孔３０が穿設されている。
パネル取付片１７の前後両端部には、係合手段としての上下左右方向に並ぶ４個の倒立達磨状のパネル取付孔３１が穿設されている。
【００３３】
次に、サイドパネル９の取付要領について説明する。
第２ブラケット１１の内方の空間部内に第１ブラケット１０を嵌め込んだのち、図２、図６及び図７に示すように、第１ブラケット１０の前端の後向Ｌ字状をなす係合片１３を、固定脚柱５の前上端部に嵌合するとともに、第２ブラケット１１の上面に形成された嵌合凹部２６を、可動脚柱６に外側方より嵌合し、かつ固定脚柱５の上面に上片１９と前向上片２５の下面が当接するまで、両ブラケット１０、１１を下方に移動させながら、内向後片２２の上縁に設けた嵌合片２３を、横杆７の上部に上方より嵌合する。
なお、この際、第１ブラケット１０の外向固定片１４と、第２ブラケットの内向き固定片２９ａとの対向面間に、締め代分の若干の隙間が形成されるようにしてある。
【００３４】
ついで、図７に示すように、第２ブラケット１１の前向折曲片２９ｂの外面を、第１ブラケット１０の基片１２の後端部内側面に当接させて、両ブラケット１０、１１を左右方向に位置決めしたのち、第１ブラケット１０の外向固定片１４のボルト挿通孔１６、１６に挿入した六角孔付きボルト３２を、外向固定片１４の後面に近接している第２ブラケット１１における内向固定片２９ａの上下のめねじ孔３０に螺合させて締め付け、外向固定片１４と内向固定片２９ａとを固定する。これにより、第１ブラケット１０と第２ブラケット１１とが、それらの前面を同一面に整合させた状態で連結される。なお、ボルト３２の締付け作業は、パネル取付片１７の作業用孔２７より、六角レンチ等の工具を挿入して容易に行うことができる。
【００３５】
外向固定片１４と内向固定片２９ａをボルト３２により固定すると、上述したように、両固定片１４、２９ａ間には締め代分の隙間が形成されているので、第１ブラケット１０の係合片１３と、第２ブラケット１１の内向後片２２とが、固定脚柱５の前後両端に強く当接するようになり、両ブラケット１０、１１は、固定脚柱５に強固に取り付けられる。
【００３６】
ついで、図５及び図７に示すように、パネル取付片１７における前部側の上下のパネル取付孔３１より挿入した止めねじ３３、３３を、前部屈折縁１８の後向片１８ｂの後端部に形成した切欠溝３４に貫通させて、第１ブラケット１０の基片１２の内側面に固着されたナット１５に螺合させて締め付け、第１ブラケット１０の基片１２と、第２ブラケット１１の前部屈折縁１２の後向片１８ｂとを固定する。このように、基片１２と後向片１８ｂとを固定すると、第２ブラケット１１の後部側の前向折曲片２９ｂの内側面が、固定脚柱５の外側面に強く当接するので、第２ブラケット１１が左右方向にぐらつくのが防止される。
【００３７】
ついで、第２ブラケット１１の嵌合片２３の下向片２３ｂに設けられた通孔２４に挿入した止めねじ３５を、横杆７のめねじ孔(図示略)に螺合し、嵌合片２３を横杆７に固定する。なお、上述したように、第１、第２ブラケット１０、１１は、固定脚柱５に強固に取り付けられているので、止めねじ３５を省略することもある。
【００３８】
このようにして、第１、第２ブラケット１０、１１同士をボルト３０と止めねじ３３により固定したのち、図５及び図７に示すように、サイドパネル９の後部側の内側面に取付けた、係合手段としての４個の段付きピン(または段付きボルト)３６を、第２ブラケット１１のパネル取付片１７の４個のパネル取付孔３１に嵌合し、かつ下方に移動させて係合させる。これにより、固定脚柱５の外側面に、第１、第２ブラケット１０、１１を介して、サイドパネル９を着脱可能に取付けることができる。なお、サイドパネル９を、床面と当接または離間させて取付けることができる。
【００３９】
以上説明したように、上記実施形態のサイドパネルの取付構造においては、サイドパネル取付用のブラケットＢは、第１ブラケット１０と第２ブラケット１１との２部材のみからなっているので、従来の取付構造に比して部品点数が少なく、コストの低減が図れる。
また、第１、第２ブラケット１０、１１の固定部、及び固定用のボルト３２や止めねじ３３は内部に位置し、外部に露呈していないので、ブラケットＢの見栄えがよく、かつサイドパネル９を体裁よく取付けることができる。
【００４０】
さらに、第２ブラケット１１の上片１９と前向上片２５とを、固定脚柱５の上面に当接させてあるので、第２ブラケット１１のぐらつきが防止され、サイドパネル９を固定脚柱５に安定よく取り付けることができる。
【００４１】
なお、上記実施形態においては、倒立達磨状の複数のパネル取付孔３１を、第２ブラケット１１のパネル取付片１７に、パネル取付孔３１に係合する段付きピン３６を、サイドパネル９の内側面に、それぞれ設けたが、それとは反対に、パネル取付孔３１をサイドパネル９の内側面に、段付きピン３６をパネル取付片１７に、それぞれ設けてもよい。
【００４２】
また、上記のような係合手段の代わりに、例えば、パネル取付片１７に上向き鉤状の係合フックを設け、この係合フックに、サイドパネルの内側面に設けた係合孔を係合させるようにすることもできる。
【００４３】
本発明は、固定の脚柱のみからなる脚体を備える机にも適用することができることは、勿論である。
【符号の説明】
【００４４】
１  机
２  脚体
３  天板
４  ベース脚
５  固定脚柱
６  可動脚柱
７  横杆
８  支持杆
９  サイドパネル
１０  第１ブラケット
１１  第２ブラケット
１２  基片
１２ａ上部折曲片
１２ｂ下部折曲片
１３  係合片
１４  外向固定片
１５  ナット
１６  ボルト挿通孔
１７  パネル取付片
１８  前部屈折縁
１８ａ内向片
１８ｂ後向片
１９  上片
１９ａ切欠部
２０  下部屈折縁
２０ａ内向片
２０ｂ上向片
２１  切欠段部
２２  内向後片
２３  嵌合片
２３ａ前向片
２３ｂ下向片
２４  通孔
２５  前向上片
２６  嵌合凹部
２７  作業用孔
２８  内向折曲片
２９  折曲片
２９ａ内向固定片
２９ｂ前向折曲片
３０  めねじ孔
３１  パネル取付孔(係合手段)
３２  六角孔付きボルト
３３  止めねじ
３４  切欠溝
３５  止めねじ
３６  段付きピン(係合手段)
Ｂ    ブラケット
【図１】
2010255655.tif 000003
【図２】
2010255655.tif 000004
【図３】
2010255655.tif 000005
【図４】
2010255655.tif 000006
【図５】
2010255655.tif 000007
【図６】
2010255655.tif 000008
【図７】
2010255655.tif 000009